(57)【特許請求の範囲】
【請求項１】
異なる通信方式の無線システムを含みかつ前記無線システムと接続する加入者制御ノードを備え、前記加入者制御ノードが前記無線システムに接続する移動機の位置管理を行う無線ネットワークシステムであって、
前記加入者制御ノードが、位置登録エリアの識別子ごとにその位置登録エリアにおいて通信が可能な無線システムの通信方式の種別を他通信方式として格納し、また、前記移動機から、自機が在圏する位置登録エリアの識別子であるエリア識別子を含む位置登録要求または位置更新要求である、位置登録更新要求を受信すると、前記エリア識別子に対応する他通信方式を抽出し、抽出した他通信方式を、前記位置登録更新要求を送信した移動機に送信し、
前記位置登録更新要求を送信した移動機が、通信方式の変更時に、前記加入者制御ノードから送信された他通信方式に基づいて通信方式を選択し、
前記加入者制御ノードは、移動機ごとに、その移動機がアクセス可能な無線方式を示す無線アクセス能力情報をあらかじめ保持し、前記位置登録更新要求を送信した移動機に対応する無線アクセス能力情報に基づいて他通信方式を抽出することを特徴とする無線ネットワークシステム。
【請求項２】
異なる通信方式の無線システムを含みかつ前記無線システムと接続する加入者制御ノードを備え、前記加入者制御ノードが前記無線システムに接続する移動機の位置管理を行う無線ネットワークシステムであって、
前記加入者制御ノードが、位置登録エリアの識別子ごとにその位置登録エリアにおいて通信が可能な無線システムの通信方式の種別を他通信方式として格納し、また、前記移動機から、自機が在圏する位置登録エリアの識別子であるエリア識別子を含む位置登録要求または位置更新要求である、位置登録更新要求を受信すると、前記エリア識別子に対応する他通信方式を抽出し、抽出した他通信方式を、前記位置登録更新要求を送信した移動機に送信し、
前記位置登録更新要求を送信した移動機が、通信方式の変更時に、前記加入者制御ノードから送信された他通信方式に基づいて通信方式を選択し、
前記移動機は、その移動機がアクセス可能な無線方式を示す無線アクセス能力情報を前記位置登録更新要求に含めて送信し、
前記加入者制御ノードは、前記無線アクセス能力情報に基づいて他通信方式を抽出することを特徴とする無線ネットワークシステム。
【請求項３】
前記位置登録更新要求を送信した移動機が、前記加入者制御ノードから受信した他通信方式に含まれる通信方式のデバイスを活性化し、受信した他通信方式に含まれない通信方式のデバイスを非活性化することを特徴とする請求項１または２に記載の無線ネットワークシステム。
【請求項４】
他通信方式に含まれる通信方式ごとに、その通信方式に対応する無線システムにおける位置登録エリア内の基地局、アクセスポイントまたはセルを複数のグループに分け、移動機の識別子と前記グループと対応させ、
前記加入者制御ノードは、前記抽出した他通信方式に含まれる通信方式ごとに、位置登録更新要求を送信した移動機の識別子に対応するグループに含まれる基地局、アクセスポイントまたはセルの識別子を送信することを特徴とする請求項１〜３のいずれか１つに記載の無線ネットワークシステム。
【請求項５】
前記加入者制御ノードは、前記無線システムの基地局、アクセスポイントまたはセルの使用率を求め、前記使用率の低い基地局、アクセスポイントまたはセルの識別子を低使用率基地局識別子として保持し、前記抽出した他通信方式に含まれる通信方式ごとに、その通信方式の位置登録エリアに対応する前記低使用率基地局識別子を送信することを特徴とする請求項１〜３のいずれか１つに記載の無線ネットワークシステム。
【請求項６】
前記移動機が、無線アクセスが可能な無線システムを抽出し、抽出された無線システムの通信方式に基づいて他通信方式を求め、その他通信方式を位置登録更新要求に含めて前記加入者制御ノードに通知し、
前記加入者制御ノードは、前記格納する他通信方式を、前記移動機から通知された他通信方式に基づいて求めることを特徴とする請求項１に記載の無線ネットワークシステム。
【請求項７】
前記加入者制御ノードは、前記位置登録更新要求を送信した移動機から通知された他通信方式が、前記格納している前記エリア識別子に対応する他通信方式と異なる場合に、前記格納している前記エリア識別子に対応する他通信方式を、前記移動機から通知された他通信方式に更新することを特徴とする請求項６に記載の無線ネットワークシステム。
【請求項８】
複数の移動機から通知された他通信方式に統計処理を施し、前記統計処理後の他通信方式を格納する他通信方式とすることを特徴とする請求項６または７に記載の無線ネットワークシステム。
【請求項９】
異なる通信方式の無線システムを含みかつ前記無線システムと接続する加入者制御ノードを備え、前記加入者制御ノードが前記無線システムに接続する移動機の位置管理を行う無線ネットワークシステムにおける無線システム選択方法であって、
前記加入者制御ノードが、位置登録エリアの識別子ごとにその位置登録エリアにおいて通信が可能な無線システムの通信方式の種別を他通信方式として格納する通信方式格納ステップと、
前記加入者制御ノードが、前記移動機から、自機が在圏する位置登録エリアの識別子であるエリア識別子を含む位置登録要求または位置更新要求である、位置登録更新要求を受信すると、前記エリア識別子に対応する他通信方式を抽出し、抽出した他通信方式を、前記位置登録更新要求を送信した移動機に送信する通信方式送信ステップと、
前記位置登録更新要求を送信した移動機が、通信方式の変更時に、前記加入者制御ノードから送信された他通信方式に基づいて通信方式を選択する通信方式選択ステップと、
前記加入者制御ノードが、移動機ごとに、その移動機がアクセス可能な無線方式を示す無線アクセス能力情報をあらかじめ保持し、前記位置登録更新要求を送信した移動機に対応する無線アクセス能力情報に基づいて他通信方式を抽出する抽出ステップと、
を含むことを特徴とする無線システム選択方法。
【請求項１０】
異なる通信方式の無線システムを含みかつ前記無線システムと接続する加入者制御ノードを備え、前記加入者制御ノードが前記無線システムに接続する移動機の位置管理を行う無線ネットワークシステムにおける無線システム選択方法であって、
前記加入者制御ノードが、位置登録エリアの識別子ごとにその位置登録エリアにおいて通信が可能な無線システムの通信方式の種別を他通信方式として格納する通信方式格納ステップと、
前記加入者制御ノードが、前記移動機から、自機が在圏する位置登録エリアの識別子であるエリア識別子を含む位置登録要求または位置更新要求である、位置登録更新要求を受信すると、前記エリア識別子に対応する他通信方式を抽出し、抽出した他通信方式を、前記位置登録更新要求を送信した移動機に送信する通信方式送信ステップと、
前記位置登録更新要求を送信した移動機が、通信方式の変更時に、前記加入者制御ノードから送信された他通信方式に基づいて通信方式を選択する通信方式選択ステップと、
前記移動機が、その移動機がアクセス可能な無線方式を示す無線アクセス能力情報を前記位置登録更新要求に含めて送信する能力情報送信ステップと、
前記加入者制御ノードが、前記無線アクセス能力情報に基づいて他通信方式を抽出する抽出ステップと、
を含むことを特徴とする無線システム選択方法。
【請求項１１】
異なる通信方式の無線システムを含みかつ前記無線システムと接続し、前記無線システムに接続する移動機の位置管理を行う加入者制御ノードであって、
位置登録エリアの識別子ごとにその位置登録エリアにおいて通信が可能な無線システムの通信方式の種別を他通信方式として格納し、また、前記移動機から、自機が在圏する位置登録エリアの識別子であるエリア識別子を含む位置登録要求または位置更新要求である、位置登録更新要求を受信すると、前記エリア識別子に対応する他通信方式を抽出し、抽出した他通信方式を、前記位置登録更新要求を送信した移動機に送信し、移動機ごとに、その移動機がアクセス可能な無線方式を示す無線アクセス能力情報をあらかじめ保持し、前記位置登録更新要求を送信した移動機に対応する無線アクセス能力情報に基づいて他通信方式を抽出し、
前記位置登録更新要求を送信した移動機は、通信方式の変更時に、前記加入者制御ノードから送信された他通信方式に基づいて通信方式を選択する
ことを特徴とする加入者制御ノード。
【請求項１２】
異なる通信方式の無線システムを含みかつ前記無線システムと接続し、前記無線システムに接続する移動機の位置管理を行う加入者制御ノードであって、
位置登録エリアの識別子ごとにその位置登録エリアにおいて通信が可能な無線システムの通信方式の種別を他通信方式として格納し、また、前記移動機から、自機が在圏する位置登録エリアの識別子であるエリア識別子を含む位置登録要求または位置更新要求である、位置登録更新要求を受信すると、前記エリア識別子に対応する他通信方式を抽出し、抽出した他通信方式を、前記位置登録更新要求を送信した移動機に送信し、
前記位置登録更新要求には、前記位置登録更新要求の送信元の移動機がアクセス可能な無線方式を示す無線アクセス能力情報を含み、前記無線アクセス能力情報に基づいて他通信方式を抽出し、
前記位置登録更新要求を送信した移動機は、通信方式の変更時に、前記加入者制御ノードから送信された他通信方式に基づいて通信方式を選択する
ことを特徴とする加入者制御ノード。
【発明の詳細な説明】
【技術分野】
【０００１】
本発明は、複数の無線アクセス方式に対応可能な移動機が、使用する無線アクセス方式を選択する無線ネットワークシステムおよび無線システム選択方法に関する。
【背景技術】
【０００２】
以下、従来のセルラーシステムにおける無線システムの選択方法について説明する。セルラーシステムにより提供される各種サービスは、高度な利便性から大多数の人々が利用するところとなった。そして、今日主流となった第２世代（２Ｇ）および第３世代（３Ｇ）のセルラーシステムを更に発展させて高速／大容量化を実現するための技術仕様について、国際標準化検討作業が進められている。
【０００３】
国際標準化が完了していない現状では、方式の異なる複数のセルラーシステムが存在する。異なる方式を１つの移動機で実現する端末として、たとえば、ＧＳＭ（Global  System  for  Mobile  Communications）と３Ｇの２つの方式に対応するデュアルモード端末がある。このデュアルモード端末では、ユーザが使用する無線システムを選択するマニュアルモードと端末が自動的に無線システムを切り替えるオートモードが存在する。ＧＳＭ／３Ｇを対象としたオートモードでは、デュアルモード端末は、ＵＳＩＭ（Universal  Subscriber  Identity  Module）に格納されているＰＬＭＮ（Public  Land  Mobile  Network）の情報に基づいて使用するＰＬＭＮを選択する。その後、無線システム内／間のセル選択／再選択を行ない、最適な無線システムのセルを選択し、選択したＰＬＭＮに対する位置登録を行う（たとえば、下記非特許文献１および非特許文献２参照）。
【０００４】
また、ＧＳＭと３Ｇなど異なる方式の無線システムが存在する場合、位置登録エリアは、一般にそれぞれの方式ごとに個別に管理されている。この場合、１つの移動機が、位置登録済みの無線システムから方式の異なる無線システムに接続先を切替えた場合には、切替え先の無線システムでは移動端末の位置管理ができないため、新たに位置登録要求を行う必要が生じる。これに対し、異なる方式の無線システム間のそれぞれの位置登録エリアの対応をリスト化し、そのリストを用いて切替え先の位置登録エリアを知ることにより、ユーザが意識することなく、切替え先の無線システムの位置登録を行うネットワークシステムが開示されている（たとえば、下記特許文献１参照）。このようなネットワークシステムでは、無線システムの切替えに伴う位置登録要求または位置更新要求の発生や、位置登録エリア境界でのふらつきによる位置更新要求の発生を抑制することができる。
【０００５】
【特許文献１】国際公開第０６／０９７９８７号  パンフレット
【非特許文献１】3GPP「NAS  functions  related  to  MS  in  idle  mode」TS  23.122，v7.8.0，pp.24，２００７年３月
【非特許文献２】3GPP「UE  procedures  in  idle  mode  and  procedures  forcell  reselection  and  in  connected  mode」TS  25.304，v7.1.0，pp.11，２００６年１２月
【発明の開示】
【発明が解決しようとする課題】
【０００６】
しかしながら、上記従来の無線システムの選択方法によれば、移動機のユーザが２Ｇ(ＧＳＭ)，３Ｇ，自動（２Ｇ／３Ｇ）のいずれかを選択し、当該選択に従ってセルサーチと位置登録が行われている。移動機は、移動先のエリアでサービスされている無線システムの方式があらかじめわからないため、最適な無線デバイスの活性化／非活性化を自動的に行うことができない。そのため、移動機のユーザが、移動先のサービスで提供されていない無線システムの方式を選択していると、不用な無線デバイスが活性化されたままの状態とり、余分な電力を消費してしまう、という問題があった。
【０００７】
また、次世代のセルラーシステム（３．９Ｇ／４Ｇ），ＩＥＥＥ（The  Institute  of  Electrical  and  Electronics  Engineers,  Inc.）系の無線システム（たとえば、ＩＥＥＥ８０２．１１，ＩＥＥＥ８０２．１６）を含むような複合無線ネットワークシステム環境では、全ての無線システムが広域かつ重なり合う形でサービスエリアが形成される訳ではなく、ホットスポット的に点在するサービスエリアも含まれる。このような複合無線ネットワークシステムにおいて、従来の無線システムの選択方法を実施する場合には、サービスエリアの構成が複雑になりユーザによる方式選択や位置登録／更新要求の操作が煩雑となる、という問題があった。
【０００８】
また、上記特許文献１に記載のネットワークシステムでは、移動先の無線システムが選択された後には自動的に移動先の無線システムに対応する位置登録エリアを得ることはできるが、無線システムの選択方法については述べられていない。
【０００９】
本発明は、上記に鑑みてなされたものであって、複数の方式の無線システムが混在するネットワーク環境で、ユーザによる煩雑な操作を必要とせずに移動機の位置に対応する適切な無線システムを選択することができ、また、移動機の消費電力の浪費を防ぐことのできる無線ネットワークシステムおよび無線システム選択方法を得ることを目的とする。
【課題を解決するための手段】
【００１０】
上述した課題を解決し、目的を達成するために、本発明は、異なる通信方式の無線システムを含みかつ前記無線システムと接続する加入者制御ノードを備え、前記加入者制御ノードが前記無線システムに接続する移動機の位置管理を行う無線ネットワークシステムであって、前記加入者制御ノードが、位置登録エリアの識別子ごとにその位置登録エリアにおいて通信が可能な無線システムの通信方式の種別を他通信方式として格納し、また、前記移動機から、自機が在圏する位置登録エリアの識別子であるエリア識別子を含む位置登録要求または位置更新要求である、位置登録更新要求を受信すると、前記エリア識別子に対応する他通信方式を抽出し、抽出した他通信方式を、前記位置登録更新要求を送信した移動機に送信し、前記位置登録更新要求を送信した移動機が、通信方式の変更時に、前記加入者制御ノードから送信された他通信方式に基づいて通信方式を選択し、前記加入者制御ノードは、移動機ごとに、その移動機がアクセス可能な無線方式を示す無線アクセス能力情報をあらかじめ保持し、前記位置登録更新要求を送信した移動機に対応する無線アクセス能力情報に基づいて他通信方式を抽出することを特徴とする。
【発明の効果】
【００１１】
この発明によれば、位置管理を行うＭＭＥが、移動機が在圏する位置登録エリアが属する位置登録エリアのリストを生成し、そのリストに対応する他方式の無線システムを移動機へ通知するようにしたので、ユーザによる煩雑な操作を必要とせずに移動機の位置に対応する適切な無線システムを選択することができ、また、移動機の消費電力の浪費を防ぐことができる、という効果を奏する。
【発明を実施するための最良の形態】
【００１２】
以下に、本発明にかかる無線ネットワークシステムおよび無線システム選択方法の実施の形態を図面に基づいて詳細に説明する。なお、この実施の形態によりこの発明が限定されるものではない。
【００１３】
実施の形態１．
図１は、本発明にかかる無線ネットワークシステムの実施の形態１の構成例を示す図である。図１に示すように、本実施の形態の無線ネットワークシステムは、各種の無線アクセス方式に対応した移動機１１，１２と、複数の無線チャネルを用いて移動機１１，１２との間で通信を行う、ＧＳＭ，ＰＤＣ（Personal  Digital  Cellular）などの第２世代（２Ｇ）のセルラーシステムの無線基地局２１，２２と、複数の無線チャネルを用いて移動機１１，１２との間で通信を行う第３世代（３Ｇ）のセルラーシステムの無線基地局３１，３２と、複数の無線チャネルを用いて移動機１１，１２との間で通信を行う第３．９／４世代（３．９／４Ｇ）のセルラーシステムの無線基地局４１，４２と、複数の無線チャネルを用いて移動機１１，１２との間で通信を行うＩＥＥＥ系（ＩＥＥＥ８０２．１１，ＩＥＥＥ８０２．１６ｅなど）無線システムのアクセスポイント５１，５２と、を備えている。
【００１４】
また、本実施の形態の無線ネットワークシステムは、無線基地局２１，２２を制御するＢＳＣ（基地局制御装置）２０と、無線基地局３１，３２を制御するＲＮＣ（無線ネットワーク制御装置）３０と、セルラーネットワークに非セルラー系の無線システムの基地局／アクセスポイントを収容するためのゲートウェイ(Packet  Data  Gateway)５０と、２Ｇ／３Ｇ対応の移動機の位置管理およびセッション管理などを行うＳＧＳＮ（Serving  GRPS  Support  Node）６０と、２Ｇ／３Ｇ対応の移動機の位置管理およびセッション管理，３．９Ｇ／４Ｇ対応の移動機の位置管理およびセッション管理を行う加入者ノードとして機能するＭＭＥ（Mobility  Management  Entity）７０と、２Ｇ／３Ｇ，３．９／４ＧおよびＩＥＥＥ系無線システム間のシームレスな切り替えを制御するとともに、インターネットやイントラネットなどの他のデータネットワークとの接続を行うServing／ＰＤＮゲートウェイ８０と、を備えている。
【００１５】
また、図１に示した、トランスポートネットワーク１１は、ユーザデータや制御信号を伝送するため無線基地局２１，２２とＢＳＣ２０とを接続し、また無線基地局３１，３２とＲＮＣ３０とを接続するネットワークである。トランスポートネットワーク２は、ユーザデータや制御信号を伝送するため、無線基地局４１，４２間を接続するネットワークである。トランスポートネットワーク３は、ユーザデータや制御信号を伝送するため、アクセスポイント５１，５２とゲートウェイ５０とを接続するネットワークである。コアネットワーク４は、ユーザデータや制御信号を伝送するため、ＳＧＳＮ６０，ＭＭＥ７０，Serving／ＰＤＮゲートウェイ８０間を接続するネットワークである。また、トランスポートネットワーク１〜３とコアネットワーク４はＩＥＴＦ（Internet  Engineering  Task  Force）で標準化されたＩＰ(Internet  Protocol)等の転送手段によりネットワーク間で相互に接続し、ユーザデータや制御信号を伝送する。
【００１６】
図２は、本実施の形態の位置登録エリアサービスエリアの構成例を示す図である。ＩＥＥＥ系の場合には、位置登録エリアとしてサービスエリアを示している。図２の例では、２Ｇセルラーシステムの位置登録エリアである２Ｇ位置登録エリア２０１と、３Ｇセルラーシステムの位置登録エリアである３Ｇ位置登録エリア３０１と、３．９Ｇ／４Ｇセルラーシステムの位置登録エリアである３．９Ｇ／４Ｇ位置登録エリア４０１，４０２と、ＩＥＥＥ系のサービスエリアであるサービスエリア５０１，５０２と、で構成される。この例では、２Ｇ位置登録エリア２０１が最も広く、その内側に３Ｇ位置登録エリア３０１が構成されている。また、３．９Ｇ／４Ｇ位置登録エリア４０１，４０２およびサービスエリア５０１，５０２は２Ｇ位置登録エリア２０１のエリア内に複数点在している。移動機１１，１２はこれらのエリア内およびエリア間を移動し、適宜、各エリアに対応する無線アクセス方式による通信を行う。
【００１７】
つづいて、本実施の形態の動作について説明する。図３は、本実施の形態の無線ネットワークシステムの動作の一例を示すシーケンス図である。また、図４は、本実施の形態の無線ネットワークシステムの動作の他の一例を示すシーケンス図である。
【００１８】
また、図５は、本実施の形態の「位置登録エリアのリスト（一覧）」とそのリストに対応する「他方式の無線システム」の管理テーブルの一例を示す図である。本実施の形態では、ＭＭＥ７０が、自装置の管理する「位置登録エリアのリスト（一覧）」とそのリストに対応する「他方式の無線システム」を図５に示したような管理テーブルを用いて管理し格納する。１つのＩｎｄｅｘは、ＭＭＥ７０が管理する位置登録エリア（またはサービスエリア）のうち、所定の範囲の位置登録エリア（サービスエリアを含む）を、通信方式を問わずに束ねた１つのグループに対応する。
【００１９】
本実施の形態では、このように１つのＩｎｄｅｘに対応する多種の通信方式の位置登録エリア（サービスエリアも含む）を１つの位置登録のグループとして束ね、ユーザからみるとグループ内は１つの位置登録エリアであるようにみせる。このようにすることにより、無線システムの切替えに伴う位置登録または位置更新要求の発生を抑制し、また、位置登録エリア境界でのふらつきによる位置更新要求の不必要な発生を抑制する。このグループは、あらかじめ静的に構成してもよいし、移動機１１，１２の無線システムの切替え頻度や移動頻度に基づいて動的に構成しても良い。あらかじめ静的に構成する場合には、ＭＭＥ７０は、自装置が管理する位置登録エリアについて（サービスエリアを含む）グループ化を行い、図５のような管理テーブルを作成し、格納しておく。
【００２０】
図６および図７は、図５の管理テーブルの前提としたエリア構成の一例を示す図である。図６は、図５のＩｎｄｅｘが“１”の場合に対応し、図６はＩｎｄｅｘが“２”の場合に対応する。図５のＩｎｄｅｘが“１”の場合には、「位置登録エリアのリスト」には、図６に示すように、３．９Ｇ／４Ｇセルラーシステムの位置登録エリアである３．９Ｇ／４Ｇ位置登録エリアＴＡ１，ＴＡ２と、２Ｇセルラーシステムの位置登録エリアである２Ｇ位置登録エリアＲＡ２１と、３Ｇセルラーシステムの登録エリアである３Ｇ位置登録エリアＲＡ３１と、ＩＥＥＥ８０２．１６に従った無線通信のサービスエリアであるサービスエリアＩＡ１と、が含まれている。このように、１つのＩｎｄｅｘ（１つの通知に対応）には、「位置登録エリアのリスト」として、そのＩｎｄｅｘによって識別される複数の位置登録エリア（通信方式が混在した位置登録エリア）が対応している。すなわち、１つのＩｎｄｅｘには、通信方式を問わず所定の範囲内にある位置登録エリア（サービスエリアも含む）が束ねられている。
【００２１】
同様に、図５のＩｎｄｅｘが“２”の場合には、「位置登録エリアのリスト」には、３．９Ｇ／４Ｇセルラーシステムの位置登録エリアである３．９Ｇ／４Ｇ位置登録エリアＴＡ３，ＴＡ４と、２Ｇセルラーシステムの位置登録エリアである２Ｇ位置登録エリアＲＡ２２と、３Ｇセルラーシステムの登録エリアである３Ｇ位置登録エリアＲＡ３２と、ＩＥＥＥ８０２．１６に従った無線通信のサービスエリアであるサービスエリアＩＡ２と、が含まれている。図７の例の場合には、サービスエリアＩＡ２は、３．９Ｇ／４Ｇ位置登録エリアＴＡ４のなかに存在する。
【００２２】
また、図５の「他方式の無線システム」の欄には、対応するＩｎｄｅｘの「位置登録エリアのリスト」に含まれる各位置登録エリア（サービスエリアも含む）について、それぞれに対応する「他方式の無線システム」が「位置登録エリアのリスト」の位置登録エリア（サービスエリアを含む）に対応付けて格納されている。「他方式の無線システム」とは、自エリア内で通信が可能な通信方式（自エリア内に位置登録エリアまたはサービスエリアが存在する通信方式）のうち、そのエリア自身の通信方式を除いたものであり、通信方式の種別を識別子で示したものである。
【００２３】
たとえば、Ｉｎｄｅｘが“１”の３．９Ｇ／４Ｇ位置登録エリアＴＡ１の場合は、３．９Ｇ／４Ｇ位置登録エリアＴＡ１が２Ｇ位置登録エリアＲＡ２１内にあり、かつ、３Ｇ位置登録エリアＲＡ３１内にあるため、３．９Ｇ／４Ｇ位置登録エリアＴＡ１内では、３．９Ｇ／４Ｇセルラーシステムの通信方式以外に、２Ｇのセルラーシステムおよび３Ｇのセルラーシステムの通信が可能である。このような場合には、「他方式の無線システム」は、２Ｇ（２Ｇセルラーシステム），３Ｇ（３Ｇセルラーシステム）となる。Ｉｎｄｅｘが“１”の２Ｇ位置登録エリアＲＡ２１の場合は、２Ｇ位置登録エリアＲＡ２１内では、３．９Ｇ／４Ｇ位置登録エリアＴＡ１，ＴＡ２と、３Ｇ位置登録エリアＲＡ３２と、サービスエリアＩＡ２が存在する。このため、２Ｇ位置登録エリアＲＡ２１内では、「他方式の無線システム」は、３Ｇ（３Ｇセルラーシステム），３．９Ｇ／４Ｇ（３．９／４Ｇセルラーシステム），８０２．１６（ＩＥＥＥ８０２．１６通信方式）となる。
【００２４】
なお、図５では、「位置登録エリアのリスト」では位置登録エリアまたはサービスエリアは、そのエリアを示す識別子（ここでは、ＴＡ１，ＴＡ２，…とする）で格納されていることとする。
【００２５】
図３に戻り、一例として、移動機１１が、２Ｇまたは３Ｇセルラーシステムの位置登録エリアで電源をＯＮした場合、または、同エリアに移動した場合について説明する。なお、この場合の移動には、地理的な移動による同一の無線システム内での位置登録エリアが変化するケースと、地理的な移動によらず異なる無線システムへの切り替えによる位置登録エリアが変化するケースと、の両方を含むこととする。
【００２６】
まず、移動機１１は、２Ｇまたは３Ｇセルラーシステムの位置登録エリアに移動する（または電源をＯＮする：ステップＳ１０１）と、無線基地局２１（または無線基地局３１）およびＳＧＳＮ６０を介してＭＭＥ７０に対し、自機が在圏する位置登録エリアの識別子をAttach（位置登録要求）メッセージまたはRouting  Area  Update（位置更新要求）メッセージに格納して送信する（ステップＳ１０２）。なお、ステップＳ１０２は、一般的な手順で行われるものであり、移動機１１は、在圏する位置登録エリアの識別子を一般的な手順で取得しておくこととする（たとえば、基地局２１または基地局３１との無線接続時の情報などから取得）。
【００２７】
ＳＧＳＮ６０は、無線基地局２１（または無線基地局３１）経由でAttach  RequestメッセージまたはRouting  Area  Updateメッセージを受信すると、そのメッセージに含まれる移動機１１が在圏している位置登録エリア（ＲＡ：Routing  Area）の識別子を記憶し（ステップＳ１０３）、ＭＭＥ７０に転送する（ステップＳ１０４）。ＳＧＳＮ６０は、一斉呼出を行う際に、ステップＳ１０３で記憶した、移動機１１が在圏している位置登録エリアの識別子を用いる。
【００２８】
つぎに、ＭＭＥ７０は、ステップＳ１０４で転送されたAttach  RequestメッセージまたはRouting  Area  Updateメッセージを受信すると、そのメッセージに含まれる移動機１１が在圏している位置登録エリアの識別子を記憶するとともに、その識別子に対応する「位置登録エリアのリスト」を生成する（ステップＳ１０５）。具体的には、ＭＭＥ７０は、図５のように管理テーブルが作成されている場合には、管理テーブルから欄に移動機１１が在圏している位置登録エリアの識別子が含まれる「位置登録エリアのリスト」を検索して、検索結果を生成結果とする。また、動的に生成する場合には、たとえば、移動機１１が在圏している位置登録エリアの識別子に基づいて、移動機１１が在圏している位置登録エリアの周辺の（グループ化する対象の）各種通信方式の位置登録エリア（サービスエリアを含む）を自装置が管理している位置登録エリアの情報から検索することにより生成する。このとき、グループ化する対象の条件は、たとえば、移動機１１が在圏している位置登録エリアに隣接するエリア，包含関係にあるエリアなどとすればよい。
【００２９】
さらに、ＭＭＥ７０は、管理テーブルを参照し、ステップＳ１０５で生成した「位置登録エリアのリスト」のそれぞれの位置登録エリアに対応する「他方式の無線システム」を抽出する（ステップＳ１０６）。たとえば、図６に示す例の場合に、移動機１１が２Ｇ位置登録エリアＲＡ２１に在圏している場合、ＭＭＥ７０は、ステップＳ１０５で図５に示した管理テーブルのＩｎｄｅｘの“１”に対応する「位置登録エリアのリスト」を検索結果として得る。そして、ステップＳ１０６では、Ｉｎｄｅｘの”１”に対応する「他方式の無線システム」を抽出する。
【００３０】
また、たとえば、図７に示す例の場合に、移動機１１が２Ｇ位置登録エリアＲＡ２２に在圏している場合、ＭＭＥ７０は、ステップＳ１０５で図５に示した管理テーブルのＩｎｄｅｘの“２”に対応する「位置登録エリアのリスト」を検索結果として得る。そして、ステップＳ１０６では、Ｉｎｄｅｘの”２”に対応する「他方式の無線システム」を抽出する。
【００３１】
つぎに、ＭＭＥ７０は、ステップＳ１０６で抽出した「他方式の無線システム」をAttach  Accept（位置登録応答）メッセージまたはRouting  Area  Update  Accept（位置更新応答）メッセージに格納してＳＧＳＮ６０へ送信する（ステップＳ１０７）。ＳＧＳＮ６０は、受信したメッセージを移動機１１へ転送する（ステップＳ１０８）。そして移動機１１は、ステップＳ１０８で転送されたメッセージに含まれる理由値の値に基づいて位置登録または位置更新の成否を判断するとともに、ＭＭＥ７０から送信された「他方式の無線システム」を位置登録エリア情報として格納しておく。このようにすると、移動機１１が同一のＩｎｄｅｘで束ねられた無線システムのグループの範囲内で、更に移動または通信方式を変更した場合に、グループ内の位置登録エリアの識別子の情報を既に保持しているため（「他方式の無線システム」は図５のように位置登録エリアの識別子に対応付けられているため、「位置登録エリアのリスト」の情報も含むため）位置登録要求または位置更新要求を行う必要がない。
【００３２】
つづいて、図４に示した例について説明する。図４の例では、移動機１１が、３．９Ｇまたは４Ｇセルラーシステムの位置登録エリアで電源をＯＮした場合、または、同エリアに移動した場合について説明する。
【００３３】
まず、移動機１１は、３．９Ｇまたは４Ｇセルラーシステムの位置登録エリアに移動する（または電源をＯＮする：ステップＳ１０９）と、無線基地局４１を介してＭＭＥ７０に対し、自機が在圏する位置登録エリアの識別子をAttach（位置登録要求）メッセージまたはTracking  Area  Update（位置更新要求）メッセージに格納して送信する（ステップＳ１１０）。
【００３４】
つぎに、ＭＭＥ７０は、ステップＳ１１０で転送されたAttach  RequestメッセージまたはTracking  Area  Update  Requestメッセージを受信すると、そのメッセージに含まれる移動機１１が在圏している位置登録エリアの識別子を記憶するとともに、その識別子に対応する「位置登録エリアのリスト」を生成する（ステップＳ１１１）。ステップＳ１１１の「位置登録エリアのリスト」の生成方法はステップＳ１０５と同様である。
【００３５】
そして、ステップＳ１０６と同様に、「位置登録エリアのリスト」のそれぞれの位置登録エリアに対応する「他方式の無線システム」を参照し、移動機１１が在圏している位置登録エリアの識別子に対応する「他方式の無線システム」を抽出する（ステップＳ１１２）。たとえば、図６に示した例の場合に、移動機が３．９Ｇ／４Ｇ位置登録エリアＴＡ１に在圏していた場合、ステップＳ１１１では、図５に示した管理テーブルのＩｎｄｅｘの“１”に対応する「位置登録エリアのリスト」を検索結果として得る。そして、ステップＳ１１２では、Ｉｎｄｅｘの”１”に対応する「他方式の無線システム」のなかから３．９Ｇ／４Ｇ位置登録エリアＴＡ１に対応する「２Ｇ，３Ｇ」を選択通信方式として抽出する。
【００３６】
ＭＭＥ７０は、ステップＳ１１２で抽出した選択通信方式をAttach  Accept（位置登録応答）メッセージまたはTracking  Area  Update  Accept（位置更新応答）メッセージに格納して無線基地局４１経由で移動機１１へ送信する（ステップＳ１１３）。そして移動機１１は、ステップＳ１１３で送信されたメッセージに含まれる理由値の値に基づいて位置登録または位置更新の成否を判断するとともに、ＭＭＥ７０から送信された選択通信方式を格納しておく。移動機１１は、選択通信方式に含まれる通信方式のなかから通信方式を選択することにより、サービス対象でない通信方式を選択する可能性を低減することができる。
【００３７】
なお、本実施の形態では、ＭＭＥ７０が、Ｉｎｄｅｘごとに「位置登録エリアのリスト」とそれに対応する「他方式の無線システム」を格納するようにしたが、これに限らず、位置登録エリアとそのエリアに対応する「他方式の無線システム」を格納する方法であればどのような方式としてもよい。
【００３８】
なお、本実施の形態では、ＭＭＥ７０が、「他方式の無線システム」を送信するようにしたが、これに限らず、ＭＭＥ７０の管理テーブルと同様に「位置登録エリアのリスト」と「他方式の無線システム」の両方を送信するようにしてもよい。この場合、移動機１１は、送信された「位置登録エリアのリスト」と「他方式の無線システム」を位置登録リスト情報として格納しておく。
【００３９】
なお、本実施の形態では、「他方式の無線システム」を位置登録応答または位置更新応答に含めて送信するようにしたが、これに限らず、位置登録応答または位置更新応答とは別の手段で移動機１１に「他方式の無線システム」を通知するようにしてもよい。
【００４０】
このように、本実施の形態では、ＭＭＥ７０が、移動機１１から位置登録要求または位置更新要求メッセージを受信すると、その移動機１１が在圏する位置登録エリアが属する「位置登録エリアのリスト」を生成し、そのリストに対応する「他方式の無線システム」を抽出して、移動機１１へ通知するようにした。このため、サービス対象でない通信方式を選択する可能性を低減することができ、適切な通信方式を選択することができる。また、「他方式の無線システム」に含まれない通信方式にのみ対応する構成要素を非アクティブにすることができ、この場合、消費電力を低減させることができる。
【００４１】
実施の形態２．
図８は、本発明にかかる無線ネットワークシステムの実施の形態２の移動機１１の動作の一例を示すフローチャートである。本実施の形態の無線ネットワークシステムの構成は実施の形態１と同様である。また、本実施の形態の移動機以外の構成要素の動作は、実施の形態１と同様である。以下、実施の形態１と異なる部分のみ説明する。
【００４２】
図８を用いて本実施の形態の移動機１１の動作について説明する。まず、移動機１１は、任意の通信方式の第１の無線システムの位置登録エリアで電源をＯＮまたは同エリアに移動する（ステップＳ２０１）。つぎに、移動機１１は、受信した報知情報に含まれている第１の無線システムの位置登録エリアの識別子を格納する（ステップＳ２０２）。なお、第１の無線システムでは、位置登録エリアごとに、基地局等により送信される報知情報にその位置登録エリアの識別子（以下、Ｘという）が含まれていることとする。
【００４３】
つぎに、移動機１１は格納したＸが、これまで（移動前に）在圏していた位置登録エリアの識別子に変化があるか否か（同一でないか否か）を判断し（ステップＳ２０３）、変化がなければ（ステップＳ２０３  Ｎｏ）処理を終了する。在圏していた位置登録エリアの識別子に変化があると判断した場合（ステップＳ２０３  Ｙｅｓ）には、保持している位置登録エリアのリスト情報ＡにＸが含まれているか否かを判断する（ステップＳ２０４）。なお、ＭＭＥ７０は、実施の形態１と同様に「位置登録エリアのリスト」と「他方式の無線システム」を管理テーブルとして保持しており、ＭＭＥ７０が「他方式の無線システム」を移動機１１に送信し、移動機１１は、受信した「他方式の無線システム」を位置登録エリアのリスト情報として保持していることとする。
【００４４】
そして、移動機１１は、ＡにＸが含まれていないと判断した場合（ステップＳ２０４  Ｎｏ）には、ＭＭＥ７０に対して位置登録要求または位置更新要求メッセージを送信し（ステップＳ２０５）、応答待ちうけタイマーを起動してＭＭＥ７０からの位置登録応答または位置更新応答メッセージ（以下、応答メッセージという）を待機する（ステップＳ２０６）。
【００４５】
移動機１１は、応答メッセージを受信する前に応答待ちうけタイマーのタイムアウトイベントを受信すると（ステップＳ２０７）、タイムアウトイベントの受信の回数が所定の回数を超過したか否かを判断する（ステップＳ２０８）。所定の回数を超過していないと判断した場合（ステップＳ２０８  Ｎｏ）には、ステップＳ２０６に戻り、再度応答待ち受けタイマーを起動する。また、ステップＳ２０８で所定の回数を超過したと判断した場合（ステップＳ２０８  Ｙｅｓ）には、所定のエラー処理へ移行する。
【００４６】
ステップＳ２０６の後に、応答待ち受けタイマーのタイムアウトイベント受信前に、ＭＭＥ７０から応答メッセージを受信すると（ステップＳ２０９）、起動中の応答待ち受けタイマーを停止し（ステップＳ２１０）、受信した応答メッセージに含まれる「位置登録エリアのリスト」と「他方式の無線システム」を、位置登録エリアのリストＡに追加して格納する（ステップＳ２１１）。そして、移動機１１は、Ａのなかから第１の無線システムの識別子に対応する情報を選択無線方式として抽出し、選択無線方式に対応する自装置のデバイスを活性化し、選択無線方式に含まれない無線方式に対応するデバイスのうち第１の無線システム以外に対応するデバイスを非活性化する（ステップＳ２１２）。
【００４７】
また、ステップＳ２０４で、ＡにＸが含まれると判断した場合（ステップＳ２０４  Ｙｅｓ）には、ステップＳ２１２に進む。
【００４８】
なお、本実施の形態では、ＭＭＥ７０が「位置登録エリアのリスト」と「他方式の無線システム」を移動機１１に送信する場合について説明したが、実施の形態１のステップＳ１０６のように、ＭＭＥ７０が選択通信方式を送信する場合には、ステップＳ２０４を省略し、ステップＳ２０３で位置登録識別子に変化があると判断した場合（ステップＳ２０３  Ｙｅｓ）に、ステップＳ２０５に進むようにすればよい。そして、ステップＳ２１１とステップＳ２１２の替わりに、受信した選択無線方式に対応する自装置のデバイスを活性化し、選択無線方式に含まれない無線方式に対応するデバイスのうち第１の無線システム以外に対応するデバイスを非活性化するようにすればよい。
【００４９】
このように、本実施の形態では、ＭＭＥ７０から送信される「位置登録エリアのリスト」と「他方式の無線システム」に基づいて、第１の無線システムの識別子に対応する選択を抽出し、選択無線方式に基づいて自装置のデバイスを活性化／非活性化するようにした。このため、移動機１１の存在する位置で利用可能な無線システムに合わせた最適な構成をユーザの煩雑な操作を行うことなく選択することができ、また、消費電力を低減することができる。
【００５０】
実施の形態３．
図９は、本発明にかかる無線ネットワークシステムの実施の形態３の動作の一例を示すシーケンス図である。本実施の形態の無線ネットワークシステムの構成は実施の形態１と同様である。以下、実施の形態１または実施の形態２と異なる部分のみ説明する。
【００５１】
図９を用いて本実施の形態の動作について説明する。まず、移動機１１が、２Ｇまたは３Ｇセルラーシステムの位置登録エリアで電源をＯＮした場合、または、同エリアに移動した場合について説明する。ステップＳ３０１〜ステップＳ３０５の動作は、実施の形態１のステップＳ１０１〜ステップＳ１０５の動作と同様である。
【００５２】
ステップＳ３０５の後、ＭＭＥ７０は、「他方式の無線システム」を抽出するが、このとき、あらかじめ保持している移動機ごとの無線アクセス能力に基づいて抽出する（ステップＳ３０６）。無線アクセス能力としては、その移動機が無線通信機能を備えており、無線アクセスが可能な方式を列挙しておく。たとえば、「他方式の無線システム」のある位置登録エリアに対応する情報が「２Ｇ，３Ｇ，８０２．１６」となっていても、ステップＳ３０４で受信したメッセージの送信元の移動機１１の無線アクセス能力として２Ｇセルラーシステムと３Ｇセルラーシステムの２つの無線システムしか含まれていない場合、「８０２．１６」は削除して抽出する。また、移動機１１の無線アクセス能力として２Ｇセルラーシステムと３ＧセルラーシステムとＩＥＥＥ８０２．１６との３つの無線システムが含まれている場合に、「他方式の無線システム」のある位置登録エリアに対応する情報が「２Ｇ，３Ｇ」と２つの方式であった場合には、「２Ｇ，３Ｇ」をそのまま抽出する。
【００５３】
移動機ごとの無線アクセス能力は、各ＭＭＥが、あらかじめデータベースとして自装置内に格納しておいても良いし、ホームロケーションレジスタ（ＨＬＲ）のようなネットワーク内の統合されたデータベースとして保持し、そのデータベースから該当するデータを各ＭＭＥが動的に取得するようにしても良い。
【００５４】
ステップＳ３０７，Ｓ３０８は、それぞれ実施の形態１のステップＳ１０７，Ｓ１０８と同様である。また、移動機１１の動作については、実施の形態１または実施の形態２と同様である。
【００５５】
つぎに、移動機１１が、３．９Ｇまたは４Ｇセルラーシステムの位置登録エリアで電源をＯＮした場合、または、同エリアに移動した場合について説明する。図１０は、３．９Ｇまたは４Ｇセルラーシステムに移動機１１が移動した場合の本実施の形態の動作の一例を示すシーケンス図である。
【００５６】
ステップＳ３０９〜ステップＳ３１１の動作は、実施の形態１のステップＳ１０９〜ステップＳ１１１の動作と同様である。つぎに、ＭＭＥ７０は、図９のステップＳ３０６と同様に移動機ごとの無線アクセス能力に基づいて「他方式の無線システム」を抽出する（ステップＳ３１２）。ステップＳ３１３は、実施の形態１のステップＳ１１３と同様である。また、移動機１１の動作は、実施の形態１または実施の形態２と同様である。
【００５７】
このように、本実施の形態では、ＭＭＥ７０が移動機の無線アクセス能力を考慮して「他方式の無線システム」を抽出するようにした。自装置の構成にあった適切な情報を得ることができ、実施の形態１よりさらに現実にあった無線システムの選択がすることができる。
【００５８】
実施の形態４．
図１１は、本発明にかかる無線ネットワークシステムの動作の一例を示すシーケンス図である。本実施の形態の無線ネットワークシステムの構成は実施の形態１と同様である。以下、実施の形態１、２または３と異なる部分のみ説明する。
【００５９】
図１１を用いて本実施の形態の動作について説明する。まず、移動機１１が、２Ｇまたは３Ｇセルラーシステムの位置登録エリアで電源をＯＮした場合、または、同エリアに移動した場合について説明する。ステップＳ４０１の動作は、実施の形態１のステップＳ１０１の動作と同様である。
【００６０】
つぎに、移動機１１は、実施の形態１と同様に無線基地局２１（または無線基地局３１）およびＳＧＳＮ６０を介してＭＭＥ７０に対し、自機が在圏する位置登録エリアの識別子をAttach  Request（位置登録要求）メッセージまたはRouting  Area  Update（位置更新要求）メッセージに格納して送信するが、このとき、自身の無線アクセス能力も送信するメッセージに含めて通知する（ステップＳ４０２）。たとえば、ユーザによって一部の無線システムのデバイスが使えないように設定されている場合等には、使用可能な無線システムのデバイスを通知する。
【００６１】
ステップＳ４０３〜Ｓ４０５の動作は、実施の形態１のステップＳ１０３〜Ｓ１０５の動作と同様である。つぎに、ＭＭＥ７０は、「他方式の無線システム」を抽出するが、その際、移動機１１から通知された無線アクセス能力に基づいて抽出する（ステップＳ４０６）。無線アクセス能力に基づいて「他方式の無線システム」を抽出する抽出の方法は、実施の形態３と同様である。
【００６２】
ステップＳ４０７，Ｓ４０８は、それぞれ実施の形態１のステップＳ１０７，Ｓ１０８と同様である。また、上述ステップＳ４０２以外の移動機１１の動作は、実施の形態１または実施の形態２と同様である。
【００６３】
つぎに、移動機１１が、３．９Ｇまたは４Ｇセルラーシステムの位置登録エリアで電源をＯＮした場合、または、同エリアに移動した場合について説明する。図１２は、ステップＳ４０９の動作は、実施の形態１のステップＳ１０９の動作と同様である。
【００６４】
つぎに、移動機１１は、実施の形態１と同様に無線基地局４１を介してＭＭＥ７０に対し、自機が在圏する位置登録エリアの識別子をAttach  RequestメッセージまたはTracking  Area  Update  Requestメッセージに格納して送信するが、このとき、自身の無線アクセス能力も送信するメッセージに含めて通知する（ステップＳ４１０）。
【００６５】
ステップＳ４１１の動作は、実施の形態１のステップＳ１１１の動作と同様である。つぎに、ＭＭＥ７０は、図１１のステップＳ４０６と同様に移動機１１から通知された無線アクセス能力に基づいて「他方式の無線システム」を抽出する（ステップＳ４１２）。ステップＳ４１３の動作は、実施の形態１のステップＳ１１３の動作と同様である。また、上述ステップＳ４１０以外の移動機１１の動作は、実施の形態１または実施の形態２と同様である。
【００６６】
なお、本実施の形態では、移動機１１が、自身の無線アクセス能力を位置登録要求または位置更新要求メッセージに含めてＭＭＥ７０に送信するようにしたが、これに限らず、移動機１１が、自身の無線アクセス能力を別の方法によりＭＭＥ７０に送信するようにしてもよい。
【００６７】
このように、本実施の形態では、移動機が自身の無線アクセス能力をＭＭＥ７０に通知し、ＭＭＥ７０が送信された無線アクセス能力に基づいて「他方式の無線システム」を抽出するようにした。このため、ＭＭＥ７０が、あらかじめ移動機ごとの無線アクセス能力を保持していない場合でも、実施の形態３と同様の効果を得ることができる。
【００６８】
実施の形態５．
図１３は、本実施の形態の「位置登録エリアのリスト（一覧）」とそのリストに対応する「他方式の無線システム」の管理テーブルの一例を示す図である。本実施の形態の無線ネットワークシステムの構成は実施の形態１と同様である。以下、実施の形態１と異なる部分について説明する。
【００６９】
図１３に示すように、本実施の形態では、実施の形態１と同様に１つのＩｎｄｅｘで束ねられた無線システム内の無線基地局（またはアクセスポイント）またはセルをグループに分け、端末ごとに対応するグループを割り当てて、無線基地局およびアクセスポイントの負荷を分散する。位置登録エリアは、複数の無線基地局（またはセル）によって構成されることが多い。したがって、移動機１１に対して通信方式とともに移動機がアクセスすべき無線基地局またはセルを指定すると、無線基地局およびアクセスポイントの負荷を分散することができる。たとえば、図１３に示したように、実施の形態１のＩｎｄｅｘが“１”の位置登録エリアについて、基地局またはセルを、“１Ａ，１Ｂ，１Ｃ，・・・”のように細分化したＩｎｄｅｘに対応させて細分化する。
【００７０】
図１３の例では、Ｉｎｄｅｘが“１Ａ”に対応するグループには、３．９Ｇ／４Ｇ位置登録エリアＴＡ１に対応する「他方式の無線システム」としては、「２Ｇ」（２Ｇセルラーシステム）については、ＩＤ（IDentifier）が“１,１１,２１，・・・”の基地局が含まれる。また、Ｉｎｄｅｘが“１Ｂ”に対応するグループには、２Ｇ位置登録エリアＴＡ１に対応する「他方式の無線システム」としては、「２Ｇ」（２Ｇセルラーシステム）については、ＩＤが“２,１２,２２，・・・” の基地局が含まれる。なお、ＩＤは、基地局のＩＤを用いてもよいしセルのＩＤを用いてもよい。
【００７１】
つづいて、本実施の形態の動作について説明する。本実施の形態の動作は、ステップＳ１０６およびステップＳ１１２以外は実施の形態１と同様である。ステップＳ１０６およびステップＳ１１２では、「他方式の無線システム」を抽出する際に、移動機１１が在圏している位置登録エリアと移動機１１の識別子とに基づいてどのＩｎｄｅｘの「他方式の無線システム」を抽出するかを決定する。たとえば、移動機１１が在圏している位置登録エリアがＴＡ１の場合、図１３の例では、Ｉｎｄｅｘが“１α（α＝Ａ，Ｂ，Ｃ・・・）”のなかから「他方式の無線システム」を抽出する。そして、移動機１１の識別子の末尾が“１”である場合には、Ｉｎｄｅｘが“βＡ（β＝１，２，・・・）”のなかから「他方式の無線システム」を抽出する。移動機１１が在圏している位置登録エリアがＴＡ１で、移動機１１の識別子の末尾が“１”であった場合には、Ｉｎｄｅｘが“１Ａ”の「他方式の無線システム」を抽出する。
【００７２】
そして、ＭＭＥ７０は、抽出した「他方式の無線システム」を実施の形態１のステップＳ１０７，Ｓ１０８またはステップＳ１１３と同様に移動機１１に送信する。ただし、本実施の形態では、送信される「他方式の無線システム」には、前述のように基地局またはアクセスポイントのＩＤが含まれる。本実施の形態の移動機１１の動作は実施の形態１または実施の形態２と同様である。
【００７３】
なお、本実施の形態では、ＭＭＥ７０が、Ｉｎｄｅｘを細分化したグループをあらかじめ作成し、移動機の識別子に基づいてグループを対応させてグループに含まれる基地局（またはセル）のＩＤを送信するようにしたが、グループ化の方法はこれに限らず、たとえば、ＭＭＥ７０が、基地局（またはセル）の使用状況を監視し使用率を求めて、使用率の低い基地局またはセルを低使用率グループとしておいてもよい。そして、ＭＭＥ７０は、低使用率グループに含まれる基地局（またはセル）のＩＤを移動機に送信する。
【００７４】
なお、本実施の形態では、実施の形態１と同様の動作を行う場合に図１３の管理テーブルを用いて「他方式の無線システム」を抽出する場合について説明したが、実施の形態３のステップＳ３０６またはステップＳ３１２の替わりに本実施の形態のステップＳ１０６またはステップＳ１１２の動作を行うようにしてもよい。また、実施の形態４のステップＳ４０６またはステップＳ４１２の替わりに本実施の形態のステップＳ１０６またはステップＳ１１２の動作を行うようにしてもよい。
【００７５】
このように、本実施の形態では、「他方式の無線システム」に含まれる無線システムの無線基地局をグループ分けして、移動機１１の識別子に基づいて「他方式の無線システム」として送信する無線基地局のグループを決定するようにした。このため、実施の形態１と同様の効果を実現するとともに、無線基地局の負荷を分散させることができる。
【００７６】
実施の形態６．
図１４は、本発明にかかる無線ネットワークシステムの動作の一例を示すシーケンス図である。本実施の形態の無線ネットワークシステムの構成は実施の形態１と同様である。以下、実施の形態１と異なる部分のみ説明する。
【００７７】
本実施の形態の動作について説明する。まず、本実施の形態では、移動機１１は、通信中の無線システム以外の各種の無線システム（「他方式の無線システム」）を探索する（ステップＳ５０１）。具体的には、たとえば、移動機１１は、自機が装備する通信方式の全ての方式により報知情報等の受信を試み、受信できた場合にその無線システムの通信方式を検索結果とする。なお、この検索結果には、自装置が後述のステップＳ５０３で位置登録要求または位置更新要求を行う通信方式も含まれるが、ステップＳ５０３で位置登録要求または位置更新要求を行う前にその通信方式を除いて「他方式の無線システム」とすればよい。
【００７８】
そして、移動機１１が、２Ｇまたは３Ｇセルラーシステムの位置登録エリアで電源をＯＮする、または、同エリアに移動する（ステップＳ５０２）。つぎに、移動機１１は、在圏する位置登録エリアの識別子と検索した「他方式の無線システム」とを、Attach  Request（位置登録要求）メッセージまたはRouting  Area  Update  Request（位置更新要求）メッセージに格納して、無線基地局２１（または無線基地局３１）およびＳＧＳＮ６０を介してＭＭＥ７０に対し送信する（ステップＳ５０３）。なお、移動などによりステップＳ５０２とステップＳ５０１で移動機１１が在圏する位置登録エリアが異なる場合を考慮して、ステップＳ５０３の前にステップＳ５０２とステップＳ５０１で移動機１１が在圏する位置登録エリアが同一か否かを判断し、同一でない場合は、再度ステップＳ５０１を実施し、その検索結果を「他方式の無線システム」として送信するようにすればよい。
【００７９】
ステップＳ５０４〜Ｓ５０６は、実施の形態１のステップＳ１０３〜Ｓ１０５と同様である。そして、ＭＭＥ７０は、移動機１１から送信された「他方式の無線システム」を、移動機１１が在圏する位置登録エリアの識別子と対応付けて格納する（ステップＳ５０７）。具体的には、たとえば、実施の形態１の図５で示した管理テーブルで管理することとし、管理テーブルの「他方式の無線システム」の欄に、移動機１１が在圏する位置登録エリアの識別子に対応させて移動機１１から送信された「他方式の無線システム」を格納する。たとえば、移動機１１が２Ｇ位置登録エリアＲＡ２１に存圏し、移動機１１から「他方式の無線システム」として「３Ｇ，３．９Ｇ／４Ｇ，８０２．１６」が送信された場合、管理テーブルの「他方式の無線システム」の欄に、「ＲＡ２１：３Ｇ，３．９Ｇ／４Ｇ，８０２．１６」と格納する。
【００８０】
そして、ＭＭＥ７０は、移動機１１から送信された「他方式の無線システム」をAttach  Accept（位置登録応答）メッセージまたはRouting  Area  Update  Accept（位置更新応答）メッセージに格納してＳＧＳＮ６０へ送信する（ステップＳ５０８）。ＳＧＳＮ６０は、受信したメッセージを移動機１１へ転送する（ステップＳ５０９）。
【００８１】
つづいて、３．９Ｇまたは４Ｇセルラーシステムに移動機が移動した場合の動作について説明する。図１５は、３．９Ｇまたは４Ｇセルラーシステムに移動機が移動した場合の実施の形態６の動作の一例を示すシーケンス図である。まず、図１４の場合と同様にステップＳ５０１を実施する。ステップＳ５１０は、実施の形態１のステップＳ１０９と同様である。つぎに、移動機１１は、在圏する位置登録エリアの識別子とステップＳ５０１で検索した「他方式の無線システム」とを、Attach  Request（位置登録要求）メッセージまたはTracking  Area  Update  Request（位置更新要求）メッセージに格納して、無線基地局４１を介してＭＭＥ７０に対し送信する（ステップＳ５１１）。
【００８２】
ステップＳ５１２は、実施の形態１のステップＳ１１１と同様であり、ステップＳ５１３はステップＳ５０７と同様である。そして、ＭＭＥ７０は、移動機１１から送信された「他方式の無線システム」をAttach  Accept（位置登録応答）メッセージまたはTracking  Area  Update  Accept（位置更新応答）メッセージに格納して移動機１１に対し送信する（ステップＳ５１４）。これ以外の移動機１１の動作は実施の形態１または実施の形態２と同様である。
【００８３】
ＭＭＥ７０は、各移動機から上述のチャートに従って「他方式の通信方式」を受信し、受信した内容に基づいて位置登録エリアの識別子とその位置登録エリアに対応する「他方式の通信方式」の関係を更新していく。また、通信が可能な無線システムは、無線環境の違いおよび装備しているデバイスなどの違いにより移動機ごとに異なる。このため、ＭＭＥ７０が、各移動機から送信される複数の「他方式の通信方式」を統計処理などにより信頼度を上げるようにすることが望ましい。
【００８４】
このように、本実施の形態では、移動機１１が通信可能な方式を検索し、検索結果に基づいて「他方式の無線システム」を決定するようにした。このため、ＭＭＥ７０は、位置登録エリアに対応する「他方式の無線システム」を動的に求めることができる。
【産業上の利用可能性】
【００８５】
以上のように、本発明にかかる無線ネットワークシステムおよび無線システム選択方法は、複数の無線アクセス方式が混在する無線ネットワークシステムに有用であり、特に、複数の無線アクセス方式に対応する移動機が、無線アクセス方式を選択して無線通信を行う無線ネットワークシステムに適している。
【図面の簡単な説明】
【００８６】
【図１】本発明にかかる無線ネットワークシステムの実施の形態１の構成例を示す図である。
【図２】実施の形態１の位置登録エリアサービスエリアの構成例を示す図である。
【図３】実施の形態１の無線ネットワークシステムの動作の一例を示すシーケンス図である。
【図４】実施の形態１の無線ネットワークシステムの動作の他の一例を示すシーケンス図である。
【図５】本実施の形態の「位置登録エリアのリスト一覧」とそのリストに対応する「他方式の無線システム」の管理テーブルの一例を示す図である。
【図６】図５の管理テーブルのエリア構成の一例を示す図である。
【図７】図５の管理テーブルのエリア構成の一例を示す図である。
【図８】本発明にかかる無線ネットワークシステムの実施の形態２の移動機１１の動作の一例を示すフローチャートである。
【図９】本発明にかかる無線ネットワークシステムの実施の形態３の動作の一例を示すシーケンス図である。
【図１０】３．９Ｇまたは４Ｇセルラーシステムに移動機が移動した場合の実施の形態３の動作の一例を示すシーケンス図である。
【図１１】本発明にかかる無線ネットワークシステムの実施の形態４の動作の一例を示すシーケンス図である。
【図１２】３．９Ｇまたは４Ｇセルラーシステムに移動機が移動した場合の実施の形態４の動作の一例を示すシーケンス図である。
【図１３】実施の形態５の「位置登録エリアのリスト（一覧）」とそのリストに対応する「他方式の無線システム」の管理テーブルの一例を示す図である。
【図１４】本発明にかかる無線ネットワークシステムの実施の形態６の動作の一例を示すシーケンス図である。
【図１５】３．９Ｇまたは４Ｇセルラーシステムに移動機が移動した場合の実施の形態６の動作の一例を示すシーケンス図である。
【符号の説明】
【００８７】
１，２，３  トランスポートネットワーク
４  コアネットワーク
１１，１２  移動機
２０  ＢＳＣ
２１，２２，３１，３２，４１，４２  無線基地局
３０  ＲＮＣ
５０  ゲートウェイ
５１，５２  アクセスポイント
６０  ＳＧＳＮ
７０  ＭＭＥ
８０  Serving／ＰＤＮゲートウェイ
２０１，ＲＡ２１，ＲＡ２２  ２Ｇ位置登録エリア
３０１，ＲＡ３１，ＲＡ３２  ３Ｇ位置登録エリア
４０１，４０２，ＴＡ１，ＴＡ２，ＴＡ３，ＴＡ４  ３．９Ｇ／４Ｇ位置登録エリア
５０１，５０２，ＩＡ１，ＩＡ２  サービスエリア
【図１】
0005197131.tif 000002
【図２】
0005197131.tif 000003
【図３】
0005197131.tif 000004
【図４】
0005197131.tif 000005
【図５】
0005197131.tif 000006
【図６】
0005197131.tif 000007
【図７】
0005197131.tif 000008
【図８】
0005197131.tif 000009
【図９】
0005197131.tif 000010
【図１０】
0005197131.tif 000011
【図１１】
0005197131.tif 000012
【図１２】
0005197131.tif 000013
【図１３】
0005197131.tif 000014
【図１４】
0005197131.tif 000015
【図１５】
0005197131.tif 000016